(57)【要約】【課題】リングの表面積を拡大して効能効果の向上を図り、身体に装着したときの装着感や装飾性の向上を図った弾性リングを提供する。【解決手段】生体への効能を有する材料が包含された弾性を有する紐素材２を長円形状に螺旋巻きし且つこの紐素材２の両端部を接続することによってリング形態とする。【選択図】　　　図１
2004097407.tif 000002
【特許請求の範囲】
【請求項１】
弾性を有する紐素材を長円形状に螺旋巻きし且つこの紐素材の両端部を互いに接続することによってリング形態としていることを特徴とする弾性リング。
【請求項２】
生体への効能を有する材料が含まれた弾性を有する紐素材を長円形状に螺旋巻きし且つこの紐素材の両端部を互いに接続することによってリング形態としていることを特徴とする弾性リング。
【請求項３】
前記紐素材の断面が長円形であり、この長円形の長手方向がリング形態の周方向に沿うように配設されていることを特徴とする請求項１又は２記載の弾性リング。
【請求項４】
前記紐素材が透明又は半透明に形成され、この紐素材の螺旋内周側に折曲部が形成されていることを特徴とする請求項１〜３のいずれかに記載の弾性リング。
【請求項５】
弾性を有する紐素材を長円形状に螺旋巻きしていることを特徴とする螺旋紐。
【発明の詳細な説明】
【０００１】
【発明の属する技術分野】
本発明は、弾性リング及び螺旋紐に関するものである。
【０００２】
【従来の技術】
血行促進や疲労回復など、人体等に対してなんらかの効能をもたらす遠赤外線やマイナスイオン等が近年注目を浴びており、これらを発生させるとみられているセラミックスやトルマリン等を包含させた商品も種々開発され、販売されている。
その一つとして、下記特許文献１には、プラスチック等のチューブのなかに遠赤外線を発生するセラミックスを詰め込み、その両端を連結することによってリング状に形成したものが提案されている。また、下記特許文献２には、トルマリンの微粉末を練り込んだシリコンゴムを上記と同様にリング状に形成したものが提案されている。
【０００３】
上記各技術は、いずれもリング状に形成することによって腕や脚などに装着できるようにしたものである。
【０００４】
【特許文献１】
登録実用新案第３０５１６８０号公報
【特許文献２】
登録実用新案第３０８５９０４号公報
【０００５】
【発明が解決しようとする課題】
遠赤外線やマイナスイオン等は、リングの表面積が大きいほど多く発生すると考えられ、その効能効果も大きくなると考えられる。
しかし、従来の各技術は、いずれもチューブやシリコンゴム等の紐素材を単にリング状に形成しただけであったため、さほどリングの表面積等を拡大することはできなかった。
つまり、上記従来技術において、リングの表面積を拡大するには、リングの周長を長くするか線径を太くしなければならないが、リングの周長は手首や足首等の装着部位の太さに応じて決定されるため、必要以上に長くするのは困難である。リングの線形を太くすると、手首に装着したときの見栄えが悪く装飾性が低下し、足首に装着した場合には、その上に靴下を履くと内側からの膨らみが大きくなって不細工になり、装着感も悪くなる。
【０００６】
本発明は、表面積の拡大を可能とし、身体に装着したときの装着感や装飾性の向上を図った弾性リング及び螺旋紐を提供することを目的とする。
【０００７】
【課題を解決するための手段】
本発明は、上記目的を達成するために以下の技術的手段を講じている。
すなわち、本発明にかかる弾性リングは、弾性を有する紐素材を長円形状に螺旋巻きし且つこの紐素材の両端部を互いに接続することによってリング形態としていることを特徴とするものである。
また、生体への効能を有する材料が包含された弾性を有する紐素材を長円形状に螺旋巻きし且つこの紐素材の両端部を接続することによってリング形態としていることを特徴とするものである。
【０００８】
これによれば、紐素材を螺旋巻きにすることによって弾性リングの表面積が拡大し、生体に対する効能効果の向上が期待できる。
一方、紐素材の螺旋形状を円形（真円形）とした場合には、手首等の装着部位に対する各螺旋円周面の接触面積が小さくなり、そのぶん面圧が高くなって皮膚に対する圧迫感が強くなり、装着跡がつく原因にもなる。しかしながら、本発明のように螺旋形状を長円形にすると、各螺旋円の曲率半径の大きな周面を装着部位に当接させることにより、接触面積を大とすることができ、面圧を低下することが可能となる。これにより、圧迫を少なくして装着感を良好にし、皮膚に装着跡が残ることも少なくすることができる。
【０００９】
また、弾性リングの幅に対して厚さが小さくなるので、手首や足首に装着した場合の外側への膨らみを少なくすることができ、装飾性（見栄え）を向上することができる。
また、皮膚への接触面積が増大することによって皮膚からの熱が伝わりやすくなり、熱によって効能を発揮する材料に対しては一層の効果向上が期待できる。前記紐素材は、その断面が長円形とされていることが好ましく、この長円形の長手方向がリング形態の周方向に沿うように配設されていることが好ましい。
【００１０】
これによって、装着部位に対する接触面積がさらに増大することとなり、面圧をより下げることが可能となる。
前記紐素材が光を透過可能な透明又は半透明の材質により形成されている場合、この紐素材の螺旋内周側に折曲部が形成されていることが好ましい。
これによって折曲部又はその付近が光の反射によって部分的にキラキラと光って見え、美観が向上する。
また、本発明にかかる螺旋紐は、弾性を有する紐素材を長円形に螺旋巻きしていることを特徴とするものである。
【００１１】
【発明の実施の形態】
以下、本発明の実施の形態を図面を参照して説明する。
図１及び図２に示すように、本発明の実施形態にかかる弾性リング１は、主として腕、脚、首など身体に装着して用いるものであり、ウレタン系樹脂やポリエステル系樹脂等のプラスチック材料やゴム材料等の弾性材料よりなる紐素材２を螺旋状（コイル状）に巻回し、さらにこの紐素材２の両端を溶着等によって接合することによってリング形態に形成したものとなっている。
【００１２】
上記弾性リング１の紐素材２には、人体（生体）に対する効能を有する材料が含有されており、例えば、微量放射線源材料を含むセラミックスの粉末が紐素材に練り込まれている。これによって、セラミックスの性質に基づいて発生した遠赤外線やマイナスイオンなどによる生体への有益な効能が期待できるものとなっている。
また、このセラミックスにかえてトルマリンの粉末や磁性粉等を練り込んだものとしてもよい。
【００１３】
さらに、弾性リング１は、紐素材２を螺旋状に巻回することによって表面積が拡大しているため、セラミックス等による効能の向上が期待でき、また、弾性リング１の周長に対して紐素材２の長さが長くなることから、セラミックス等の含有量を増量することが可能となっている。
図３に示すように、弾性リング１の螺旋巻き形状は、長円形（略楕円形）とされており、弾性リング１の平面的な厚さｔ（図１参照）に比べて幅ｗ（図２参照）が大きくなっている。これによって、弾性リング１を手首や足首等に密着した状態で装着したときに皮膚に対する接触面積が増大し、その分、皮膚に対する面圧が低下するようになっている。このため、圧迫が少なくなって装着感が向上するとともに、皮膚に装着跡が残ることも少なくなる。
【００１４】
また、図４に示すように、紐素材２の断面２Ａの形状も長円形（略楕円形）とされており、この長円形の長手方向がリング１の周方向に沿うように配設されている。これによっても装着部位に対する接触面積が増大し、皮膚に対する圧迫を少なくすることが可能となっている。
なお、上記において長円形とは、楕円形（幾何学的に定義された楕円に限定されずこれに類似した楕円形（略楕円形）も含む）や、図５に示すように外周のうち互いに対向する部分２Ｂ、２Ｂが略平行な略直線状に形成された円形、小判形等を含むものである。
【００１５】
本実施形態では、次のような方法により紐素材を長円形（略楕円形）に螺旋巻きするものとなっている。
まず、紐素材２を螺旋状に成形するための成形用芯材３として断面３Ａが長方形状の長尺な帯板材を使用する。そして、この芯材３を長手方向の軸心回りに回転させることによってその外周に紐素材２を張力を付与しながら順次巻き付けてゆく。芯材３に巻き付けてゆく過程においては、紐素材２は芯材３の外周面に沿ったほぼ長方形の螺旋となるが、その後、加熱・冷却工程を経て芯材３から取り外したときに、紐素材２自身の若干の弾性復元によって図３で示すような略楕円形の螺旋になる。
【００１６】
上記芯材３の寸法は、厚さ約０．５ｍｍ、幅約５ｍｍとされているが、これに限定されるものではなく、弾性リング１や紐素材２の太さ等に応じて適宜選択される。
一方、紐素材２は、芯材３の角部３Ａが圧接する部分で強く折りまげられるため、螺旋形状の内周部には、図１及び図４に示すように、線状の又は周囲に比べて曲率半径が急激に小さくなる折曲部４が４カ所に形成される。互いに接近した２つの折曲部４，４の間５は曲率半径が大きく、平面に近くなる。
【００１７】
紐素材２が透明又は半透明である場合、螺旋形状の内周部に折曲部４を形成することによって、この折曲部４又は折曲部４，４間５が反射によって部分的に光って見えるようになり、美感性が高められる。また、螺旋形状の外周面にはほとんど折曲部が形成されないため、なめらかな外観を得ることができるようになっている。
本発明は、上記実施形態に限定されるものではなく適宜設計変更可能である。本発明に係る弾性リング１を装着する箇所は、手首、足首、首等に限られるものではない。弾性リング１には、セラミックス等の生体への効能を有する材料を含まない紐素材により構成することができる。この場合、ブレスレットやネックレス等の単なる装飾具として利用できる。
【００１８】
また、紐素材を螺旋巻きすることによって得られた螺旋紐は、上記のようにリング形態とするに限定されず、例えば、携帯電話等のストラップ用の紐として利用することも可能である。
【００１９】
【発明の効果】
本発明によれば、弾性リングの表面積を好適に拡大することができるため、紐素材に生体への効能を有する材料を包含している場合にはその効能向上が期待できる。また、紐素材の螺旋形状を長円形としたり、紐素材の断面形状を長円形とすることによって、身体に装着したときの装飾性や装着感を向上することができる。
【図面の簡単な説明】
【図１】本発明の実施形態にかかる弾性リングの平面図である。
【図２】同正面図である。
【図３】図２のＢ−Ｂ矢示図である。
【図４】図１のＡ−Ａ矢示図である。
【図５】本発明の別実施形態にかかる図２に相当する図である。
【符号の説明】
１　　弾性リング
２　　紐素材
２Ａ　断面
４　　折曲部
【図１】
2004097407.tif 000003
【図２】
2004097407.tif 000004
【図３】
2004097407.tif 000005
【図４】
2004097407.tif 000006
【図５】
2004097407.tif 000007